(57)【要約】【課題】  本発明の目的は、一挙に破断することがなく段階的な破断が可能となり、突然の橋脚の落下を防止する連結バンドを提供すること。【解決手段】    第１の橋梁１Ａとそれに隣接する第２の橋梁１Ｂとが橋脚に載置された状態において橋梁の落下を防止する連結バンド３であって、該連結バンドはエンドレスに形成され且つ多数の縦方向の繊維糸を有し、該繊維糸は破断伸度が異なった複数種類のものよりなり、一方端部が第１の橋梁１Ａに取り付けられ、他方端部が第２の橋梁１Ｂに取り付けられるものである連結バンド。【選択図】  図２
2006249842.tif 000002
【特許請求の範囲】
【請求項１】
第１の橋梁とそれに隣接する第２の橋梁とが橋脚に載置された状態において橋梁の落下を防止する連結バンドであって、多数の縦方向の繊維糸を有していることを特徴とする連結バンド。
【請求項２】
第１の橋梁とそれに隣接する第２の橋梁とが橋脚に載置された状態において橋梁の落下を防止する連結バンドであって、該連結バンドはエンドレスに形成され且つ多数の縦方向の繊維糸を有し、該繊維糸は破断伸度が異なった複数種類のものよりなり、一方端部が第１の橋梁に取り付けられ、他方端部が第２の橋梁に取り付けられるものであることを特徴とする連結バンド。
【請求項３】
第１の橋梁とそれに隣接する第２の橋梁とが橋脚に載置された状態において橋梁の落下を防止する連結バンドであって、該連結バンドはエンドレスに形成され且つ多数の縦方向の繊維糸を有し、該繊維糸は破断伸度が異なった複数種類のものよりなり、一方端部が第１の橋梁に取り付けられ、他方端部が橋脚に取り付けられるものであることを特徴とする連結バンド。
【請求項４】
第１の橋梁とそれに隣接する第２の橋梁とが橋脚に載置された状態において橋梁の落下を防止する連結バンドであって、該連結バンドは多数の縦方向の繊維糸を有し、該繊維糸は破断伸度が異なった複数種類のものよりなり、一方端部が取付け用のループを形成して第１の橋梁に取り付けられ、他方端部が取付け用のループを形成して第２の橋梁に取り付けられるものであることを特徴とする連結バンド。
【請求項５】
第１の橋梁とそれに隣接する第２の橋梁とが橋脚に載置された状態において橋梁の落下を防止する連結バンドであって、該連結バンドは多数の縦方向の繊維糸を有し、該繊維糸は破断伸度が異なった複数種類のものよりなり、一方端部が取付け用のループを形成して第１の橋梁に取り付けられ、他方端部が取付け用のループを形成して橋脚に取り付けられるものであることを特徴とする連結バンド。
【請求項６】
前記複数種類の繊維糸は、芳香族ポリアミド繊維糸、ポリビニルアルコール繊維糸、又はポリエステル繊維糸の中から選択された少なくとも２種類であることを特徴とする請求項２、３、４、又は５に記載の連結バンド。
【請求項７】
前記連結バンドは、カバー部材により覆われていることを特徴とする請求項２、３、４、又は５に記載の連結バンド。
【請求項８】
前記連結バンドは、中央部を縫い合わせ固定され両端部に取り付け用のループが形成されていることを特徴とする請求項２又は３に記載の連結バンド。
【請求項９】
前記連結バンドは、複数巻回されていることを特徴とする請求項２又は３に記載の連結バンド。
【発明の詳細な説明】
【技術分野】
【０００１】
本発明は、橋梁同士又は橋梁と橋脚とを連結して橋梁の落下を防止することができる橋梁用の連結バンドに関し、特に一挙に破断するのではなく段階的に破断する連結バンドに関する。
【背景技術】
【０００２】
橋脚に載置された状態の橋梁は、地震等による激しい振動を受けることにより横ズレを起こし易い。
そして、地震による振動が大きい場合や、振動が群発的に起こる場合は、橋梁が横移動して橋脚から落下し危険である。
このようなことを避けるために、従来から、橋梁の落下を防止する安全対策が講じられている。
【０００３】
その一つとして例えば、図１１に示すように、棒状の鋼材１００でコンクリート部材１０１同士の連結を行う落橋防止装置が開発された。
これは地震等の振動による移動を防止するため橋梁を鋼材１００で連結するアンカー装置１０２を備えたものである（例えば、特許文献１参照）。
この落橋防止装置に用いられるアンカー装置１０２は、地震時の振動エネルギーを吸収すべく図１２に示すような構造を有する。
具体的には、プランジャ１０３と調整螺子１０４との間にスプリング１０５が介在され、このスプリング１０５の一方の端部を固定するために調整螺子１０４の一端にはスプリング支持部材１０６が設けられている。
【０００４】
また、プランジャ１０３のスプリング１０５と反対側にもスプリング１０７が設けられている。
そして鋼材１００を保持するプランジャ１０３がスプリング１０５とスプリング１０７との間に挟まれるので、振動エネルギーが吸収されるし、鋼材１００の長さが温度変化により変化してもスプリング１０５，１０７の長さの変化により調整される。
【０００５】
このような落橋防止装置は、アンカー装置１０２により確実に振動エネルギーが吸収される利点が確かにあるが、アンカー装置１０２の構造が複雑になることから故障し易く、またコスト高でもある。
また、連結用の引張り部材として鋼材１００が使用されているが、風雨に晒されるため、錆び付き易く機械的強度が低下する欠点がある。
【０００６】
しかし、その後、高引張強度の樹脂材（例えばエンジニアリングプラスチック）の開発が進み、簡単な構造で地震時のエネルギーを吸収でき、且つ橋梁同士の連結強度を長期間保証し得るような装置が開発された。
例えば樹脂製の繊維長尺体を使用した落橋防止装置がある（例えば、特許文献２，３参照）。
この繊維長尺体は、樹脂の種類として具体的に、アラミド繊維、芳香族ポリエステル繊維、ＰＢＯ繊維等を使ったものである。
【０００７】
【特許文献１】特開昭５７−１３３９０７号公報
【特許文献２】特開２００４−３６３３７号公報
【特許文献３】特開２００４−３６３３８号公報
【発明の開示】
【発明が解決しようとする課題】
【０００８】
しかし、樹脂製の連結バンドは、地震等による強い振動を受けた場合、強い引張り力が加わると耐えきれなくなり、一挙に全幅に渡って破断する。
このように連結バンドが一挙に破断することで、橋梁は拘束が無くなり、それとほぼ同時に横移動して突然橋脚から落下するため極めて危険である。
【０００９】
本発明は、かかる背景技術をもとになされたもので、上記の背景技術の問題点を克服することができるものである。
すなわち、本発明は、一挙に破断することがなく段階的な破断が可能となり、突然の橋脚の落下を防止する連結バンドを提供することを目的とする。
【課題を解決するための手段】
【００１０】
かくして、本発明者は、このような課題背景に対して鋭意研究を重ねた結果、連結バンドを構成する材料の材質に工夫を加えることにより上記の問題点を解決することができることを見出し、この知見に基づいて本発明を完成させたものである。
【００１１】
すなわち、本発明は、（１）、第１の橋梁とそれに隣接する第２の橋梁とが橋脚に載置された状態において橋梁の落下を防止する連結バンドであって、多数の縦方向の繊維糸を有している連結バンドに存する。
【００１２】
また、本発明は、（２）、第１の橋梁とそれに隣接する第２の橋梁とが橋脚に載置された状態において橋梁の落下を防止する連結バンドであって、該連結バンドはエンドレスに形成され且つ多数の縦方向の繊維糸を有し、該繊維糸は破断伸度が異なった複数種類のものよりなり、一方端部が第１の橋梁に取り付けられ、他方端部が第２の橋梁に取り付けられるものである連結バンドに存する。
【００１３】
また、本発明は、（３）、第１の橋梁とそれに隣接する第２の橋梁とが橋脚に載置された状態において橋梁の落下を防止する連結バンドであって、該連結バンドはエンドレスに形成され且つ多数の縦方向の繊維糸を有し、該繊維糸は破断伸度が異なった複数種類のものよりなり、一方端部が第１の橋梁に取り付けられ、他方端部が橋脚に取り付けられるものである連結バンドに存する。
【００１４】
また、本発明は、（４）、第１の橋梁とそれに隣接する第２の橋梁とが橋脚に載置された状態において橋梁の落下を防止する連結バンドであって、該連結バンドは多数の縦方向の繊維糸を有し、該繊維糸は破断伸度が異なった複数種類のものよりなり、一方端部が取付け用のループを形成して第１の橋梁に取り付けられ、他方端部が取付け用のループを形成して第２の橋梁に取り付けられるものである連結バンドに存する。
【００１５】
また、本発明は、（５）、第１の橋梁とそれに隣接する第２の橋梁とが橋脚に載置された状態において橋梁の落下を防止する連結バンドであって、該連結バンドは多数の縦方向の繊維糸を有し、該繊維糸は破断伸度が異なった複数種類のものよりなり、一方端部が取付け用のループを形成して第１の橋梁に取り付けられ、他方端部が取付け用のループを形成して橋脚に取り付けられるものである連結バンドに存する。
【００１６】
また、本発明は、（６）、前記複数種類の繊維糸は、芳香族ポリアミド繊維糸、ポリビニルアルコール繊維糸、又はポリエステル繊維糸の中から選択された少なくとも２種類である上記（２）、（３）、（４）、又は（５）に記載の連結バンドに存する。
【００１７】
また、本発明は、（７）、前記連結バンドは、カバー部材により覆われている上記（２）、（３）、（４）、又は（５）に記載の連結バンドに存する。
【００１８】
また、本発明は、（８）、前記連結バンドは、中央部を縫い合わせ固定され両端部に取り付け用のループが形成されている上記（２）又は（３）に記載の連結バンドに存する。  
【００１９】
また、本発明は、（９）、前記連結バンドは、複数巻回されている上記（２）又は（３）に記載の連結バンドに存する。
【００２０】
なお、本発明の目的に添ったものであれば、上記（１）から（９）を適宜組み合わせた構成も採用可能である。
【発明の効果】
【００２１】
本発明の連結バンドによれば、多数の縦方向の糸を有しているので、橋梁や橋脚の金具に取り付け易い。
破断伸度が異なる複数種類の繊維糸を有するようにすれば、繊維糸の種類によって破断エネルギーが異なるため、連結バンド自体が一挙に切断するようことはなく、繊維糸の種類毎に時間的経過と共に段階的に順次破断していくことができ、全体としての吸収エネルギーも大きい。
また、結果的に緩衝機能をも十分発揮できる。
そのため、従来のように最初の振動により連結バンドが切断し、それと共に突然橋梁が落下するようなことがなく、続発的又は群発的に生じる地震にも十分対応することができる。
【発明を実施するための最良の形態】
【００２２】
以下、本発明を実施するための最良の形態を図面に基づいて説明する。
図１は、連結バンドの取り付け態様を示している。
この連結バンドは、その一方の端部が第１の橋梁１Ａに取り付けられ、他方の端部が第１の橋梁１Ａに隣接する第２の橋梁１Ｂに取り付けられる。
具体的には、連結バンドは、その一方の端部が第１の橋梁の定着部２Ａに、他方の端部が第２の橋梁の定着部２Ｂに取り付けられる。
この場合、連結バンドは、定着部２Ａに備わっている固定金具の挿入ボルトと定着部２Ｂに備わっている固定金具の挿入ボルトとの間に渡されて連結される。
【００２３】
［第１実施形態］
図２は、本発明の連結バンドの第１実施形態を示している。
図２（Ａ）は、連結バンドの全体を斜視的に示している。
この連結バンド３は帯状に形成されており、且つその両端部を一部重ねて縫い合わせることによりエンドレスに形成されている。
図２（Ｂ）は図２（Ａ）のＡ−Ａ線に沿う断面を模式的に示している。
【００２４】
この連結バンド３は、引張り強度を担う多数の縦方向の繊維糸を有しており、縦方向に引張られた場合に強度を発揮する。
これらの各繊維糸は多数集合して長さ方向に平行に並んで束となっており、繊維糸を拘束保護するための断面長方形状のカバー部材４によって覆われた状態となっている。
カバー部材４は、多数の繊維糸を拘束保護するためのもので、連結バンドの耐久性や耐候性が向上する。
【００２５】
カバー部材４としては、合成樹脂またはゴム（例えば、ポリエチレン、塩化ビニール、シリコンラバー等）や繊維布地を使うことが可能である。
カバー部材４の代わりとして、繊維糸を拘束保護できれば繊維糸全体を接着剤で硬化固定する方法も可能である。
カバー部材４によって覆われた状態の連結バンドの両端部分は、その一定範囲を重ね合わせて縫い込み結合することで両端部分３１が強固に一体化する。
【００２６】
この連結バンド３に加わる引張り力を担っているのは芯線となる複数の繊維糸であり、それらはそれぞれ破断伸度が異なる繊維糸である。
例えば、繊維糸として、芳香族ポリアミド繊維糸とポリエステル繊維糸の２種類の組み合わせが選択されたり、或いは芳香族ポリアミド繊維糸、ポリビニルアルコール繊維糸、及びポリエステル繊維糸の３種類の組み合わせが選択されたりする。
【００２７】
図２の連結バンドは、後者の３種類（芳香族ポリアミド繊維糸ａ、ポリビニルアルコール繊維糸ｂ、ポリエステル繊維糸ｐ）の組み合わせを採用したものである。
これらの各繊維糸は、破断伸度が異なるので、連結バンド全体が伸びても、順次破断伸度の小さな繊維から順次切断されていく。
【００２８】
破断伸度が小さい芳香族ポリアミド繊維糸ａが最初に破断し、その後、伸びと共にポリビニルアルコール繊維糸ｂ、次にポリエステル繊維糸ｐと順次破断していくこととなる。  そのため一挙に連結バンド３が全幅に渡って一度に破断してしまうような現象は生じなく、時間的経過と共に段階的にエネルギーを吸収しながら破断することとなる。
すなわち、ある距離伸びるとその伸びに対する破断強度に達した繊維糸のみが破断し、残りの繊維糸は破断せずに残っている。
そのため橋梁と橋梁とをこの連結バンドにより連結した場合は、橋梁の一定のズレ（移動）により、破断伸度を上回る引張り力を受けても、残りの破断伸度の大きい繊維糸は破断せずに引張り力を担うことができる。
【００２９】
このように、連結バンドが一挙に破断しないことから、次に発生する地震（振動等）による衝撃を受けても、破断しないで残っている繊維糸により、橋梁同士の横ズレが防止されるのである。
したがって、一番危険な現象、すなわち橋脚から橋梁１Ａ，１Ｂが、突然、落下するような危険発生を防止することができる。
【００３０】
なお、組み合わせる複数種類の繊維糸の太さや本数を適宜調整することで、繊維糸全体としての破断伸度のピークの大きさを、適宜、設定することが可能で最適な連結バンドを得ることができる。
【００３１】
〔実験〕
本発明の連結バンドを使った段階的な破壊現象を説明するために、繊維糸を引張った場合の実験を示す。
実験装置は島津オートグラプＡＧ−５０００Ａ（株式会社島津製作所製、定速伸長形）を使用し、引張り速度２００ｍｍ／分、つまみ間隔２８０ｍｍで行った。
尚、規定は、ＪＩＳ  Ｌ  １０１３  ７．５（引張強さ及び伸び率測定）である。
実験に使用した繊維糸は以下の通りである。
【００３２】
ａ；芳香族ポリアミド繊維糸としてのアラミド繊維糸、テクノーラＴ−２００（帝人株式会社製、１６７０ｄｔ、フィフイラメント数１０００、破断伸度約４％における破断応力３３０Ｎ）
ｂ；ポリビニルアルコール繊維糸としてのビニロン繊維糸、ビニロンＨＭ１（ユニチカ株式会社製、２０００ｄｔ、フィラメント数２５０、破断伸度約６％における破断応力２０９Ｎ）
ｐ；ポリエステル繊維糸、テトロンＰ９００ＭＰ（帝人株式会社製、１６７０ｄｔ、フィラメント数７５０、破断伸度約１２％における破断応力１３３Ｎ）
【００３３】
ｉ−実験１（図３参照）
この実験は、アラミド繊維糸ａを１本とポリエステル繊維糸ｐを４本とを束ねて計５本からなる簡易連結バンドを使った。
そしてこの簡易連結バンドを一定速度で伸ばした場合の荷重と伸度とを測定した。
縦軸には繊維糸に加わる荷重（応力）（Ｎ）、横軸には伸度（％）（Ｓ−Ｓ曲線）を示した。
【００３４】
図に示すように、連結バンドを徐々に伸ばしていくと、先ず、アラミド繊維糸ａが破断し、一定時間を経過した後、次いでポリエステル繊維糸ｐが破断する。
なお、このグラフと縦軸及び横軸に囲まれる面積が大きければ大きい程、繊維糸全体が破断するまでに要したエネルギーが多いことを示す。
【００３５】
ｉｉ−実験２（図４参照）
この実験は、アラミド繊維糸ａを１本と、ビニロン繊維糸ｂを２本と、ポリエステル繊維糸ｐを４本とを束ねて計７本からなる簡易連結バンドを使った。
そして、実験１と同様に簡易連結バンドを一定速度で伸ばした場合の荷重と伸度とを測定した。
【００３６】
図に示すように、連結バンドを徐々に伸ばしていくと、先ず、アラミド繊維糸ａが破断し、一定時間後、ビニロン繊維糸ｂが破断し、更に一定時間経過後、最後にポリエステル繊維糸ｐが破断する。
この実験２では、実験１の場合が２段目で連結バンドが破断するのに対して、３段目で連結バンドが破断することとなり、粘り強い引張り力を発揮できる。
【００３７】
ｉｉｉ−実験３（図５参照）
この実験は、アラミド繊維糸ａを１本と、ビニロン繊維糸ｂを５本と、ポリエステル繊維糸ｐを２５本とを束ねて計３１本からなる簡易連結バンドを使った。
そして、実験１と同様に簡易連結バンドを一定速度で伸ばした場合の荷重と伸度とを測定した。
【００３８】
図に示すように、連結バンドを徐々に伸ばしていくと、先ず、アラミド繊維糸ａが破断し、一定時間後、ビニロン繊維糸ｂが破断し、一定時間後、最後にポリエステル繊維糸ｐが破断する。
この実験３の場合は、実験２の場合に較べて、一定の伸びに対して、より大きい破断応力を有することとなり、連結バンド全体として、より強い引張り力を発揮することができる。
【００３９】
［第２実施形態］
図６は本発明の連結バンドの第２実施形態を示している。
この第２実施形態の連結バンド３を第１実施形態の連結バンド３と比較すると、連結バンド３は一周して両端部を重ね合わせて縫い合わせた構造であるのに対し、この連結バンド３は２周させてから、その両端部３１が重なる位置で同様にして縫い合わせている点で異なる。
【００４０】
このような構成にすると、連結バンドは２重になるために、破断強度を２倍にすることができ、更に３周して３重に、また４周して４重にすることも当然可能である。
なお、多重にした場合は、連結バンドの一部が帯幅方向にズレてしまうおそれがあるので、縫合は更に適当な位置に行っておく。
【００４１】
［第３実施形態］
図７は、本発明の連結バンドの第３実施形態を示している。
この第３実施形態の連結バンド３は、第１及び第２実施形態と同じ帯状の長尺体であるが、両端にループ３２を有することが特徴である。
具体的には、連結バンド３は、連結バンド３の両端部３１を比較的長く重ね合わせエンドレスにし、その後、中央部の重ね合わされた部分（連結バンド３の中央部）を縫い合わせして結合させている。
その結果、連結バンド３の図でいう左右の端には、橋梁又は橋脚に対する取り付け用のループ３２が形成される。
【００４２】
このような構成にすると、対象物である橋梁や橋脚に備わった固定金具に取り付けた場合、取り付け状態が安定となる。
【００４３】
［第４実施形態］
図８は、本発明の連結バンドの第４実施形態を示している。
図８（Ａ）は、連結バンドの全体、図８（Ｂ）は、その内部構造、及び図８（Ｃ）は繊維糸のエンドレスな巻回状態を示す。
図のように、ポリエステル繊維糸ｐがエンドレスに何重にも巻回されており、これが例えば繊維布よりなるチューブ状のカバー部材４によって覆われて拘束保護されている。
【００４４】
そのために、上述した実施の形態のように、連結バンドの両端部分を重ねて縫合する必要がなく、芯線であるポリエステル繊維糸ｐが巻回されて継ぎ目なく連続しているために強度的に強いものとなる。
【００４５】
［第５実施形態］
図９は、本発明の連結バンドの第５実施形態を示している。
この第５実施形態の連結バンド３は、第１〜第５実施形態と異なってエンドレスではないが、両端にループ３２を有する。
具体的には、連結バンド３は、連結バンド３の左右の端を曲げ返されるようにして縫い付けられている。
その結果、連結バンド３の図でいう左右の端には、橋梁又は橋脚に対する取り付け用のループ３２が形成される。
また、本発明でいう橋脚とはいわゆる橋台を含むものであることは当然である。
【００４６】
以上、本発明を説明したが、本発明は実施の形態に限定されるものではなく、目的に沿う限り、種々の変更が可能である。
例えば、橋梁１Ａと橋梁１Ｂとを連結バンド３で連結した例について説明したが、図１０に示すように、橋脚５と橋梁１Ｂとを連結バンド３で連結するようにしても良い。
【００４７】
一方、カバー部材４については、透明にするなどして、地震が発生した際の引張り力により連結バンドを構成する、繊維糸の破断状態を確認することができる。
この場合、地震の強さの目処となるばかりではなく、交換の目安にもなる利点がある。  また、繊維糸の組み合わせは、芳香族ポリアミド繊維糸、ポリビニルアルコール繊維糸、ポリエステル繊維糸から選ばれたもの以外にも種々の組み合わせが可能なことは当然である。
【産業上の利用可能性】
【００４８】
本発明は、橋梁とそれに隣接する橋梁、或いは、橋梁と橋脚との連結に使用される連結バンドに関するものであるが、連結する両者間の移動を防止するために種々の構造物同士の連結用として利用することができる。
【図面の簡単な説明】
【００４９】
【図１】図１は、橋梁同士を連結する落橋防止装置を示す説明図である。
【図２】図２は、本発明の連結バンドの第１実施形態を示す説明図であり、（Ａ）は斜視図、（Ｂ）は（Ａ）のＡ−Ａ線に沿う断面図である。
【図３】図３は、実験１における荷重と伸度との関係を示す図である。
【図４】図４は、実験２における荷重と伸度との関係を示す図である。
【図５】図５は、実験３における荷重と伸度との関係を示す図である。
【図６】図６は、本発明の連結バンドの第２実施形態を示す説明図である。
【図７】図７は、本発明の連結バンドの第３実施形態を示す説明図である。
【図８】図８は、本発明の連結バンドの第４実施形態を示す説明図であり、（Ａ）は、連結バンドの全体を示し、（Ｂ）は、繊維糸のエンドレスな巻回状態を示し、（Ｃ）はその内部構造を示している。
【図９】図９は、本発明の連結バンドの第５実施形態を示している。
【図１０】図１０は、橋梁と橋脚とを連結する落橋防止装置を示す説明図である。
【図１１】図１１、従来の落橋防止装置を示す説明図である。
【図１２】図１２は、図１１のアンカー装置の詳細を示す説明図である。
【符号の説明】
【００５０】
１Ａ，１Ｂ  橋梁
２Ａ，２Ｂ  定着部
３  連結バンド
３１  連結バンド
３２  連結バンド
４  カバー部材
５  橋脚
１００  鋼材
１０１  コンクリート部材
１０２  アンカー装置
１０３  プランジャ
１０４  調整螺子
１０５  スプリング
１０６  スリング支持部材
１０７  スプリング
ａ  アラミド繊維糸（芳香族ポリアミド繊維糸）
ｂ  ビニロン繊維糸
ｐ  ポリエステル繊維糸
【図１】
2006249842.tif 000003
【図２】
2006249842.tif 000004
【図３】
2006249842.tif 000005
【図４】
2006249842.tif 000006
【図５】
2006249842.tif 000007
【図６】
2006249842.tif 000008
【図７】
2006249842.tif 000009
【図８】
2006249842.tif 000010
【図９】
2006249842.tif 000011
【図１０】
2006249842.tif 000012
【図１１】
2006249842.tif 000013
【図１２】
2006249842.tif 000014